(57)【要約】【課題】ブックカバー本体自体の反発力によって、ブックカバーで覆った冊子が無意味に開かれることがないブックカバーを提供する。【解決手段】冊子の表紙を覆うブックカバーにおいて、冊子の背に対応する部分に天地方向に沿った凹凸による折り曲げ部１２を設けた樹脂製のカバー本体１１と、カバー本体１１の内面側の両側端部に冊子の表紙が差し込まれる袋状の表紙差込部１３とを備えるとともに、カバー本体１１の天地側端縁部に溶着してカバー本体１１の反発力を減じ、不用意に冊子が開くのを防止する抑制シートがカバー本体１１に設けられている。【選択図】  図１
0003128645.tif 000002
【実用新案登録請求の範囲】
【請求項１】
冊子の表紙を覆うブックカバーにおいて、
冊子の背に対応し、天地方向に沿った凹凸による折り曲げ部を設けた樹脂製のカバー本体と、該カバー本体の内面側の両側端部に溶着した冊子の表紙が差し込まれる袋状の表紙差込部とを備えるとともに、該カバー本体の天地側端縁部に溶着して該カバー本体の反発力を減じ、不用意に冊子が開くのを防止する抑制シートが該カバー本体に設けられていることを特徴とするブックカバー。
【請求項２】
前記抑制シートが、該カバー本体の内面側に設けた前記表紙差込部に隣接して前記折り曲げ部近傍に至る天地側端縁を溶着して設けた帯状シートであることを特徴とする請求項１に記載のブックカバー。
【請求項３】
前記カバー本体の天地及び小口側端縁に溶着した前記表紙差込部に鉤状の切欠部が設けられ、前記天地側端縁の溶着部が前記折り曲げ部近傍に延在したシート部分を前記抑制シートとしたことを特徴とする請求項１に記載のブックカバー。
【請求項４】
前記表紙差込部の少なくとも一方が、前記カバー本体の内面側に天側端縁と小口上側端縁とを溶着した第１表紙差込片と、前記カバー本体の内面側に地側端縁と小口下側端縁とを溶着した第２表紙差込片とからなり、前記第１表紙差込片の天側溶着部が前記折り曲げ部の近傍まで設けられるとともに前記第２表紙差込片の地側溶着部が前記折り曲げ部の近傍まで設けられて、前記折り曲げ部の近傍に至るシート部分を前記抑制シートとしたことを特徴とする請求項１に記載にブックカバー。
【考案の詳細な説明】
【技術分野】
【０００１】
本考案は、冊子の表紙を覆うブックカバーに関し、詳しくはブックカバーで覆った冊子がカバー本体の反発力等により冊子の表紙が意味無く開かれることがないブックカバーに関する。
【背景技術】
【０００２】
図６は、従来のブックカバーの一例を示し、同図を参照し説明する。ブックカバー１はカバー本体２に手帳（冊子）３の表紙３ａ，３ｂが差し込まれる袋部２ａ，２ｂが設けられ、袋部２ａには開口部２ｃが設けられ、定期券４を袋部２ａに差し込み、開口部２ｃを利用して定期券４を取り出したりすることができるようにしたものがある。（例えば、特許文献１参照）
【０００３】
また、図７（ａ），（ｂ）は従来のブックカバーの他の例を示し、このような天地方向に長手の冊子を覆うブックカバーであり、カバー本体２の両端縁に袋部２ａが設けられている。冊子３は、表紙３ａ，３ｂをそれぞれ袋部２ａに差し込み、ブックカバーで覆われる。カバー本体２は、例えば、オレフィン系樹脂に顔料が混合し、着色による隠蔽性を高め、比較的厚いものとなり、表側に模様を刻設した高級感のあるブックカバーがある。
【０００４】
【特許文献１】特開２００５−０８８３８０号公報（明細書全文，図面全図）
【考案の開示】
【考案が解決しようとする課題】
【０００５】
しかしながら、図７（ａ），（ｂ）の従来のブックカバーでは、カバー本体２が厚手であり、それ自体に弾性があり、ブックカバーを覆った冊子３を閉じてテーブル等に載置すると、図７（ｂ）に示すように、折り曲げ部から膨らみが生じた湾曲部２ｂが形成され、折り曲げ部を支点としたカバー本体２自体の弾性による反発力が生じ、矢印Ａに示したように、冊子３の表紙３ｂ又は３ａが自然に開いてしまうといった不都合があり、好ましいものではなく、改善の余地があった。
【０００６】
本考案は、上記のような課題に鑑みなされたものであって、ブックカバー本体自体の反発力によって、ブックカバーで覆った冊子が無意味に開かれることがないブックカバーを提供することを目的とする。
【課題を解決するための手段】
【０００７】
本考案は、上記課題を達成したものであって、請求項１の考案は、冊子の表紙を覆うブックカバーにおいて、
冊子の背に対応し、天地方向に沿った凹凸による折り曲げ部を設けた樹脂製のカバー本体と、該カバー本体の内面側の両側端部に溶着した冊子の表紙が差し込まれる袋状の表紙差込部とを備えるとともに、該カバー本体の天地側端縁部に溶着して該カバー本体の反発力を減じ、不用意に冊子が開くのを防止する抑制シートが該カバー本体に設けられていることを特徴とするブックカバーである。
【０００８】
また、請求項２の考案は、前記抑制シートが、該カバー本体の内面側に設けた前記表紙差込部に隣接して前記折り曲げ部近傍に至る天地側端縁を溶着して設けた帯状シートであることを特徴とする請求項１に記載のブックカバーである。
【０００９】
また、請求項３の考案は、前記カバー本体の天地及び小口側端縁に溶着した前記表紙差込部に鉤状の切欠部が設けられ、前記天地側端縁の溶着部が前記折り曲げ部近傍に延在したシート部分を前記抑制シートとしたことを特徴とする請求項１に記載のブックカバーである。
【００１０】
また、請求項４の考案は、前記表紙差込部の少なくとも一方が、前記カバー本体の内面側に天側端縁と小口上側端縁とを溶着した第１表紙差込片と、前記カバー本体の内面側に地側端縁と小口下側端縁とを溶着した第２表紙差込片とからなり、前記第１表紙差込片の天側溶着部が前記折り曲げ部の近傍まで設けられるとともに前記第２表紙差込片の地側溶着部が前記折り曲げ部の近傍まで設けられて、前記折り曲げ部の近傍に至るシート部分を前記抑制シートとしたことを特徴とする請求項１に記載にブックカバーである。
【考案の効果】
【００１１】
請求項１の考案では、冊子の表紙を覆うブックカバーにおいて、
冊子の背に対応し、天地方向に沿った凹凸による折り曲げ部を設けた樹脂製のカバー本体と、該カバー本体の内面側の両側端部に溶着した冊子の表紙が差し込まれる袋状の表紙差込部とを備えるとともに、該カバー本体の天地側端縁部に溶着して該カバー本体の反発力を減じ、不用意に冊子が開くのを防止する抑制シートが該カバー本体に設けられていることを特徴とするブックカバーであるので、凹凸による折り曲げ部を設けて樹脂製のカバー本体の反発力を抑制し、かつ表紙差込部の溶着部を折り曲げ部近傍まで形成することによりカバー本体の反発力を抑制し、図７（ｂ）に示したような湾曲部が形成されるのを解消し、カバー本体による反発力によって、冊子の表紙が無意味に開かれるのを防ぐことができる。
【００１２】
また、請求項２の考案では、前記抑制シートが、該カバー本体の内面側に設けた前記表紙差込部に隣接して前記折り曲げ部近傍に至る天地側端縁を溶着して設けた帯状シートであることを特徴とする請求項１に記載のブックカバーであるので、抑制シートとして作用する帯状シートが冊子の表紙の表側に接するとともに、カバー本体に帯状シートを溶着したことによって、カバー本体が湾曲して折り曲げ部を支点とする反発力が発生するのを減じ、ブックカバーで覆った冊子の表紙が無意味に開かれるのを防ぐことができる。
【００１３】
また、請求項３の考案では、前記カバー本体の天地及び小口側端縁に溶着した前記表紙差込部に鉤状の切欠部が設けられ、前記天地側端縁の溶着部が前記折り曲げ部近傍に延在したシート部分を前記抑制シートとしたことを特徴とする請求項１に記載のブックカバーであるので、表紙差込部の折り曲げ部近傍に延在するシート部分が摩擦となるとともに、抑制シートとして作用するシート部分とその溶着部とがカバー本体の反発力を減じ、ブックカバーで覆った冊子の表紙が無意味に開かれるのを防ぐことができる。
【００１４】
また、請求項４の考案では、前記表紙差込部の少なくとも一方が、前記カバー本体の内面側に天側端縁と小口上側端縁とを溶着した第１表紙差込片と、前記カバー本体の内面側に地側端縁と小口下側端縁とを溶着した第２表紙差込片とからなり、前記第１表紙差込片の天側溶着部が前記折り曲げ部の近傍まで設けられるとともに前記第２表紙差込片の地側溶着部が前記折り曲げ部の近傍まで設けられて、前記折り曲げ部の近傍に至るシート部分を前記抑制シートとしたことを特徴とする請求項１に記載にブックカバーであるので、第１と第２表紙差込片の折り曲げ部の近傍に延在するシート部が摩擦となるとともに、抑制シートとして作用するシート部が、抑制シートとその溶着部とがカバー本体の反発力を減じ、ブックカバーで覆った冊子の表紙が無意味に開かれるのを防ぐことができる。
【考案を実施するための最良の形態】
【００１５】
以下、本考案に係る実施の形態について、図面を参照して説明する。先ず、図面について簡単に説明すると、図１は本考案のブックカバーの一実施形態を示す平面図であり、図２は本考案のブックカバーの他の実施形態を示す平面図である。図３（ａ）は図１の実施形態の使用状態を説明する斜視図であり、図３（ｂ）はその側面図である。図４，図５は本考案の他の実施形態を示す平面図である。
【００１６】
図１の実施形態は、ブックカバー１０がカバー本体１１の中央の冊子の背に対応する部分に、天地方向に沿った凹凸による折り曲げ部１２が設けられ、カバー本体１１の内面側両端部に袋状の表紙差込部１３がカバー本体１１の天地側端縁と小口側端縁に溶着されて設けられ、かつ表紙差込部１３に隣接して帯状シート１４がカバー本体１１の天地側端縁に溶着されて設けられ、帯状シート１４の天地側溶着部は折り曲げ部１２の近傍にまで延在する。このブックカバー１０は、冊子の表紙が表紙差込部１３と帯状シート１４との間から差し込み易く、帯状シート１４と表紙差込部１３とは冊子の表紙に摩擦力を与える部材であるとともに、帯状シート１４と、帯状シート１４とカバー本体１１の天地側端縁とを溶着した溶着部は、カバー本体１１の厚みを増して折り曲げ部１２を支点とする湾曲が形成されるのを防止し、カバー本体１１の反発力を減ずる効果を有するし、また、帯状シート１４は、それ自体も抑制シートとして作用し、折り曲げ部１２を支点とするカバー本体１１の湾曲部による反発力を減ずる効果を有し、これらによって、冊子の表紙が表紙差込部１３に差し込まれたブックカバー１０が不用意に開かれるのを防止することができる。カバー本体１１はオレフィン系樹脂に顔料を混合してシート成形したものであり、厚みを有し、シート自体に弾性を有する材質であって、カバー本体１１は顔料により着色されて隠蔽性に優れ、カバー本体１１の表側に押し型による文様が刻設可能であり、高級感を醸し出し得る材質である。
【００１７】
また、図２の実施形態は、ブックカバー１０がカバー本体１１の中央の冊子の背に対応する部分に、天地方向に沿った凹凸による折り曲げ部１２が設けられ、カバー本体１１の内面側の一方に袋状の表紙差込部２３がカバー本体１１の天地側及び小口側端縁に溶着されて設けられ、かつカバー本体１１の内面側他方には、冊子の表紙を差し込み易くするために鉤状の切欠部２３ａが設けられている。表紙差込部２３は、カバー本体１１の天地側端縁及び小口側端縁に溶着されている。表紙差込部２３に設けた切欠部２３ａは、冊子の表紙が差し込み易いように表紙差込部２３の中央近傍から鉤状に切り欠いたものであり、表紙差込部２３のカバー本体１１の天地側端縁部の溶着部２３ｂは折り曲げ部１２の近傍まで延在し、カバー本体１１の反発力を減じる効果を有し、かつ、表紙差込部２３の折り曲げ部１２近傍に至るシート部分（抑制シート２３ｃ）は、冊子の表紙との摩擦力を高めることができ、冊子の表紙が表紙差込部２３に差し込まれたブックカバー１０が不用意に開かれるのを防止することができる。
【００１８】
図１のブックカバーは、図３（ａ）に示すように、冊子１５の表裏の表紙１５ａがそれぞれ表紙差込部１３に差し込まれる。冊子１５の表裏の表紙１５ａは、図３（ｂ）に表紙差込部１３が誇張して記載されているが、摩擦部である帯状シート（抑制シート）１４と表紙差込部１３とで挟まれるように保持されるとともに、カバー本体１１の反発力に作用する湾曲部（図７（ｂ）参照）が、帯状シート１４とその溶着部とにより殆ど形成されないので、カバー本体１１による反発力が抑制されている。このように帯状シート（抑制シート）１４とその溶着部とがカバー本体１１による反発力を減じ、かつ帯状シート１４は冊子１５の表紙１５ａが表紙差込部１３により簡単に移動しないように滑り摩擦を与え、冊子の表紙が差し込まれたブックカバー本体１１が不用意に開かれるのを防止することができる。このブックカバーでは、帯状シート（抑制シート）１４とその溶着部とによりカバー本体１１に湾曲部が形成されるのを防止し、反発力が作用して冊子が不用意に開かれるのを防止している。殊に、冊子の天地側の幅が狭く長手サイズの場合、冊子が不用意に開くといった問題が生じるが、本実施形態によるブックカバーによればこのような問題点を解消することができる。
【００１９】
また、図２のブックカバーは、鉤状に切り欠いた切欠部２３ａを有する表紙差込部２３がカバー本体１１の天地側溶着部が折り曲げ部１２の近傍まで形成されており、折り曲げ部１２の近傍に延在する表紙差込部２３のシート部分２３ｃが抑制シートとして作用し、冊子の表紙に摩擦を与えるとともに、抑制シート２３ｃとその溶着部２３ｂの折り曲げ部１２の近傍に至る溶着部とがカバー本体１１に湾曲部が形成されるのを防止し、カバー本体１１の反発力を減じ、テーブル等に載置した場合にブックカバー１０を覆った冊子の表紙が無意味に開かれるのを防止することができる。また、本ブックカバーは、表紙差込部２３に設けた切欠部２３ａから冊子の表紙を簡単に差し込むことができる。本実施形態のブックカバーは、天地側の幅が狭く長手サイズの冊子の場合に効果的である。また、表紙差込部２３は、カバー本体１１の両端縁に設けられたものが課題を解決する上で最も効果的な形状である。
【００２０】
図４の実施形態のブックカバーは、カバー本体１１の内面側の一端側を袋状の表紙差込部１３とし、カバー本体１１の内面側の一端側には、カバー本体１１の天側端縁と小口上側端縁を溶着した第１表紙差込片３３ａと、カバー本体１１の地側端縁と小口下側端縁を溶着した第２表紙差込片３３ｂとが設けられ、第１表紙差込片３３ａの天側溶着部３３ｃが折り曲げ部１２の近傍まで至り、同様に第２表紙差込片３３ｂの地側溶着部３３ｄが折り曲げ部１２の近傍まで至っており、これら第１及び第２表紙差込片３３ａ，３３ｂの折り曲げ部１２の近傍に至るシート部分が摩擦となる抑制シートとして作用するとともに、シート部分（抑制シート）とその溶着部とがカバー本体１１が湾曲するのを防止して反発力を減ずることができる。
【００２１】
図４のブックカバーによれば、このブックカバーに冊子の表紙の一方を第１及び第２表紙差込片３３ａ，３３ｂを開きながら差し込み、他の表紙を表紙差込部１３に差し込んで、長手サイズの冊子であっても簡単に冊子の表紙を差し込むことができるブックカバーでる。このブックカバーで覆った冊子は、テーブルなどに置いた際、第１及び第２表紙差込片３３ａ，３３ｂが冊子の表紙に摩擦を与える抑制シートとして作用する効果があり、カバー本体１１が湾曲部を形成するのを防止して反発力を減じる作用を有し、ブックカバーで覆われた冊子の表紙が無意味に開かれるのを防止することができる。
【００２２】
また、図５のブックカバー１０では、カバー本体１１の中央に天地方向に沿った折り曲げ部１２が形成され、カバー本体１１の内面側の両側に、図４の実施形態と同様、第１表紙差込片３３ａと第２表紙差込片３３ｂとがそれぞれ設けられている。
【産業上の利用可能性】
【００２３】
本考案の活用例としては、天地方向に長手の冊子を覆うブックカバーとして利用することができ、ブックカバーをした冊子の表紙が無意味に自然に開かれることがない、高級感のあるブックカバーとして利用することができる。
【図面の簡単な説明】
【００２４】
【図１】本考案のブックカバーの一実施形態を示す平面図である。
【図２】本考案のブックカバーの他の実施形態を示す平面図である。
【図３】（ａ）は図１の実施形態の使用状態を説明する斜視図を示し、（ｂ）はその側面図である。
【図４】本考案のブックカバーの他の実施形態を示す平面図である。
【図５】本考案のブックカバーの他の実施形態を示す平面図である。
【図６】従来のブックカバーの一例を示す斜視図である。
【図７】（ａ）は従来のブックカバーの他の例を示す平面図であり、本考案の課題を説明するための側面図である。
【符号の説明】
【００２５】
１０  ブックカバー
１１  カバー本体
１２  折り曲げ部
１３，２３，３３  表紙差込部
１４  帯状シート（抑制シート）
２３ａ  切欠部
２３ｂ  溶着部
２３ｃ  シート部分（抑制シート）
３３ａ  第１表紙差込片
３３ｂ  第２表紙差込片
３３ｃ  天側溶着部
３３ｄ  地側溶着部
【図１】
0003128645.tif 000003
【図２】
0003128645.tif 000004
【図３】
0003128645.tif 000005
【図４】
0003128645.tif 000006
【図５】
0003128645.tif 000007
【図６】
0003128645.tif 000008
【図７】
0003128645.tif 000009